(57)【要約】【課題】回路基板側で発生したノイズがジャンパー線を介して電子チューナに侵入していた。【解決手段】高周波信号が入力されるとともに増幅器１２ｂ、１３ｂを含む分配器１２、１３と、この分配器１２、１３の出力が接続された電子チューナ１４、１５と、この電子チューナ１４、１５の出力が供給される出力端子１４ｆ、１４ｍ、１５ｆ、１５ｍと、電子チューナ１４、１５が装着された回路基板１６とを備え、増幅器１２ｂ、１３ｂは、回路基板１６から電子チューナ１４の入力コネクタ１４ａ、１４ｂと分配器１２、１３の出力コネクタ１２ｄ、１３ｄを介して電源が供給されるものである。これにより所期の目的を達成することができる。【選択図】図１
2008066822.tif 000002
【特許請求の範囲】
【請求項１】
高周波信号が入力されるとともに増幅器を含む分配器と、この分配器の出力が接続された電子チューナと、この電子チューナの出力が供給される出力端子と、前記電子チューナが装着された回路基板とを備え、前記増幅器は、前記回路基板から前記電子チューナの入力コネクタと前記分配器の出力コネクタを介して電源が供給される高周波信号受信装置。
【請求項２】
電子チューナは、地上波信号が入力されるとともに第１の入力コネクタに接続された第１の地上波信号受信部と、ＢＳ／ＣＳ波信号波が入力されるとともに第２の入力コネクタに接続された第１のＢＳ／ＣＳ波信号受信部とからなる第１の電子チューナと、地上波信号が入力されるとともに第３の入力コネクタに接続された第２の地上波信号受信部と、ＢＳ／ＣＳ波信号波が入力されるとともに第４の入力コネクタに接続された第２のＢＳ／ＣＳ波信号受信部とからなる第２の電子チューナとからなり、これら第１、第２の電子チューナに信号を夫々供給する第１、第２の分配器に夫々内蔵された第１、第２の増幅器への電源の供給は、前記第１の入力コネクタと前記第２の入力コネクタを介して制御される請求項１に記載の高周波信号受信装置。
【請求項３】
第１の分配器に内蔵された増幅器の増幅度のオン・オフ制御は、第３の入力コネクタを介して制御される請求項２に記載の高周波信号受信装置。
【請求項４】
第２の分配器の入力コネクタには、第４の入力コネクタを介して電源が供給される請求項２に記載の高周波信号受信装置。
【請求項５】
第１の入力コネクタと第２の入力コネクタには高周波信号の通過を阻止する第１、第２のコイルを介して電源が夫々供給されるとともに、前記第１、第２のコイルは直角に配置された請求項２に記載の高周波信号受信装置。
【請求項６】
回路基板は４層構造とし、第２層目は全面グランドとするとともに、第３層目には電源配線を敷設した請求項２に記載の高周波信号受信装置。
【請求項７】
高周波信号が入力される第５の入力コネクタと、この第５の入力コネクタからの信号を分配する第３の分配器と、この第３の分配器からの分配信号がそれぞれ入力される第１、第２の分配器とが一つの筐体内に設けられた第４の分配器を有する請求項２に記載の高周波信号受信装置。
【請求項８】
第４の分配器に内蔵された分配器用回路基板は、一方の面に地上波信号用の増幅器、分配器、および周辺部品を配置し、他方の面にＢＳ／ＣＳ信号用の増幅器、分配器、および周辺部品を配置した請求項７に記載の高周波信号受信装置。
【請求項９】
分配器用回路基板は、一方の面と他方の面との間にグランド面を設けた請求項８に記載の高周波信号受信装置。
【発明の詳細な説明】
【技術分野】
【０００１】
本発明は、高周波信号受信装置に関するものである。
【背景技術】
【０００２】
以下、従来の高周波信号受信装置について説明する。従来の高周波信号受信装置は、図５に示すような構成となっていた。図５において、１は入力された高周波信号を分配する第１の分配器であり、この第１の分配器１の出力は、第２の分配器２と、第３の分配器３に接続されている。また、第２の分配器２の出力は、電子チューナ４に設けられるとともに地上波信号が入力される入力コネクタ４ａと、電子チューナ５に設けられるとともに地上波信号が入力される入力コネクタ５ａに夫々接続されている。第３の分配器３の出力は、電子チューナ４に設けられたＢＳ／ＣＳ波信号の入力コネクタ４ｂと、電子チューナ５に設けられたＢＳ／ＣＳ波信号の入力コネクタ５ｂに夫々接続されている。
【０００３】
そして、これら電子チューナ４と電子チューナ５とは、回路基板６に装着されており、この回路基板６から電源等が供給されている。また、第２の分配器２に収納された増幅器２ａの電源は、回路基板６からジャンパー線７を介して供給されており、第３の分配器３に収納された増幅器３ａの電源もジャンパー線で供給されるか、或いは回路基板６から直接供給されている。
【０００４】
なお、この出願の発明に関連する先行技術文献情報としては、例えば、特許文献１が知られている。
【特許文献１】特開平７−２１２７３９号公報
【発明の開示】
【発明が解決しようとする課題】
【０００５】
しかしながらこのような従来の高周波信号受信装置では、第２の分配器２に収納された増幅器２ａの電源がジャンパー線７で供給されているため、このジャンパー線７がアンテナとして作用し、回路基板６内で発生したノイズがジャンパー線７で受信される。そして、このジャンパー線７で受信されたノイズが電子チューナ４、５の入力コネクタ４ａ、５ａに入力されて妨害信号となるという問題があった。
【０００６】
この妨害信号の原因となるジャンパー線７は、以下のような理由から装着されたものである。即ち、図６、図７に示すように、回路基板６に電子チューナ４、５が立設され、この電子チューナ４に設けられた地上波信号の入力コネクタ４ａと、電子チューナ５に設けられた地上波信号の入力コネクタ５ａとの間に第２の分配器２が装着される。また、電子チューナ４に設けられたＢＳ／ＣＳ波信号の入力コネクタ４ｂと、電子チューナ５に設けられたＢＳ／ＣＳ波信号の入力コネクタ５ｂとの間に第３の分配器３が装着される。このように装着されているため、第３の分配器３には回路基板６から直接電源を供給することができるが、第２の分配器２においては、回路基板６から直接電源を供給することはできず、ジャンパー線７で電源を供給しなければならない。この電源供給のために使用するジャンパー線７が回路基板６内で発生したノイズを受信するアンテナの役目をしてしまう。このアンテナとして働くジャンパー線７で受信したノイズが電子チューナ４、５に供給されてしまうという問題があった。
【０００７】
そこで本発明は、この問題を解決したもので、回路基板で発生したノイズを受信するジャンパー線を除去した高周波信号受信装置を提供することを目的としたものである。
【課題を解決するための手段】
【０００８】
この目的を達成するために、本発明の高周波信号受信装置の分配器を構成する増幅器は、回路基板から電子チューナの入力コネクタと前記分配器の出力コネクタを介して電源が供給されるものである。これにより、所期の目的を達成することができる。
【発明の効果】
【０００９】
本発明の高周波信号受信装置の分配器を構成する増幅器は、回路基板から電子チューナの入力コネクタと前記分配器の出力コネクタを介して電源が供給されるものであり、電子チューナの入力コネクタから電源が供給されるので、従来のようにアンテナの働きをするジャンパー線を使用する必要がない。従って、回路基板内で発生したノイズがジャンパー線を介して電子チューナに侵入することはない。
【００１０】
また、ジャンパー線の代わりにシールド線を使用することも可能であるが、このシールド線を用いるものに比べて工数が低減され、低価格化に寄与することができる。
【発明を実施するための最良の形態】
【００１１】
以下、本発明の実施の形態について図面に基づいて説明する。
【００１２】
（実施の形態１）
図１は、本発明の実施の形態１における高周波信号受信装置のブロック図である。図１において、１１は高周波信号が入力される分配器であり、この分配器１１で地上波信号（９０ＭＨｚ〜７７０ＭＨｚ）と、ＢＳ／ＣＳ波信号（ＢＳ波信号は１０４９ＭＨｚ〜１４７１ＭＨｚ、ＣＳ波信号は１５９３ＭＨｚ〜２０５３ＭＨｚである。なお、これはダウンコンバータでダウンコンバートされた後の周波数である。）に分配される。そして、地上波信号は、金属製のケースで形成された分配器１２の入力コネクタ１２ａに接続される。また、ＢＳ／ＣＳ波信号は、金属製のケースで形成された分配器１３の入力コネクタ１３ａに接続される。
【００１３】
入力コネクタ１２ａは、コンデンサ１２ｊを介して高周波増幅器１２ｂの入力に接続されている。この高周波増幅器１２ｂの出力は分配器１２ｃの共通端子に接続されている。また、分配器１２ｃの一方の出力は、コンデンサ１２ｋを介して出力コネクタ１２ｄに接続されており、分配器１２ｃの他方の出力は、コンデンサ１２ｍを介して出力コネクタ１２ｅに接続されている。
【００１４】
出力コネクタ１２ｄからは、コイル１２ｆを介して高周波増幅器１２ｂの電源に接続され、この高周波増幅器１２ｂに電源が供給される。また、高周波増幅器１２ｂの入力と出力との間には地上波信号の通過をオン・オフする高周波スイッチ１２ｇが接続されており、この高周波スイッチ１２ｇの制御端子は、コイル１２ｈを介して出力コネクタ１２ｅに接続されている。ここで、コンデンサ１２ｊ、１２ｋ、１２ｍは、直流の通過を阻止するとともに地上波信号を通過させるものである。また、コイル１２ｆ、１２ｈは、直流を通過させるとともに地上波信号の通過を阻止するものである。
【００１５】
入力コネクタ１３ａは、コンデンサ１３ｊを介して高周波増幅器１３ｂの入力に接続されている。この高周波増幅器１３ｂの出力は、分配器１３ｃの共通端子に接続されている。また、分配器１３ｃの一方の出力は、コンデンサ１３ｋを介して出力コネクタ１３ｄに接続されており、分配器１３ｃの他方の出力は、コンデンサ１３ｍを介して出力コネクタ１３ｅに接続されている。
【００１６】
出力コネクタ１３ｄからは、コイル１３ｆを介して高周波増幅器１３ｂの電源に接続され、この高周波増幅器１３ｂに電源が供給される。また、出力コネクタ１３ｅからは、コイル１３ｈを介して入力コネクタ１３ａに接続されている。ここで、コンデンサ１３ｊ、１３ｋ、１３ｍは、直流の通過を阻止するとともにＢＳ／ＣＳ波信号を通過させるものである。また、コイル１３ｆ、１３ｈは、直流を通過させるとともにＢＳ／ＣＳ波信号の通過を阻止するものである。
【００１７】
分配器１２に装着された出力コネクタ１２ｄは、金属製のケースで形成された電子チューナ１４の入力コネクタ１４ａに直接コネクタ同士で接続されている。また、出力コネクタ１２ｅは、金属製のケースで形成された電子チューナ１５に装着された入力コネクタ１５ａに直接コネクタ同士で接続されている。
【００１８】
分配器１３の出力コネクタ１３ｄは、電子チューナ１４に装着された入力コネクタ１４ｂに直接コネクタ同士で接続されている。また、出力コネクタ１３ｅは、電子チューナ１５に装着された入力コネクタ１５ｂに直接コネクタ同士で接続されている。
【００１９】
電子チューナ１４に装着された入力コネクタ１４ａは、地上波信号を通過させるとともに直流を阻止するコンデンサ１４ｃを介して地上波信号選局部（後述する）１４ｄに入力される。また、この地上波信号選局部１４ｄの出力は、復調部１４ｅの一方の入力に接続され、その出力は地上波信号の出力端子１４ｆに接続されている。また、入力コネクタ１４ａは、地上波信号を阻止するとともに直流を通過させるコイル１４ｇを介して電源端子１４ｈに接続されている。ここで、入力コネクタ１４ａから出力端子１４ｆまでを地上波信号受信部とする。
【００２０】
電子チューナ１４に装着された入力コネクタ１４ｂは、ＢＳ／ＣＳ波信号を通過させるとともに直流を阻止するコンデンサ１４ｊを介してＢＳ／ＣＳ波信号選局部（後述する）１４ｋに入力される。また、このＢＳ／ＣＳ波信号選局部１４ｋの出力は、復調部１４ｅの他方の入力に接続され、その出力はＢＳ／ＣＳ波信号の出力端子１４ｍに接続されている。また、入力コネクタ１４ｂは、ＢＳ／ＣＳ波信号を阻止するとともに直流を通過させるコイル１４ｎを介して電源端子１４ｐに接続されている。ここで、入力コネクタ１４ｂから出力端子１４ｍまでをＢＳ／ＣＳ波信号受信部とする。
【００２１】
電子チューナ１５に装着された入力コネクタ１５ａは、地上波信号を通過させるとともに直流を阻止するコンデンサ１５ｃを介して地上波信号選局部（後述する）１５ｄに入力される。また、この地上波信号選局部１５ｄの出力は、復調部１５ｅの一方の入力に接続され、その出力は地上波信号の出力端子１５ｆに接続されている。また、入力コネクタ１５ａは、地上波信号を阻止するとともに直流を通過させるコイル１５ｇを介して電源端子１５ｈに接続されている。ここで、入力コネクタ１５ａから出力端子１５ｆまでを地上波信号受信部とする。
【００２２】
電子チューナ１５に装着された入力コネクタ１５ｂは、ＢＳ／ＣＳ波信号を通過させるとともに直流を阻止するコンデンサ１５ｊを介してＢＳ／ＣＳ波信号選局部（後述する）１５ｋに入力される。また、このＢＳ／ＣＳ波信号選局部１５ｋの出力は、復調部１５ｅの他方の入力に接続され、その出力はＢＳ／ＣＳ波信号の出力端子１５ｍに接続されている。また、入力コネクタ１５ｂは、ＢＳ／ＣＳ波信号を阻止するとともに直流を通過させるコイル１５ｎを介して電源端子１５ｐに接続されている。ここで、入力コネクタ１５ｂから出力端子１５ｍまでを地上波信号受信部とする。
【００２３】
そして、これら電子チューナ１４の出力端子１４ｆ、１４ｍと、電源端子１４ｈ、１４ｐは多層基板で形成された回路基板１６に半田付けにより装着されている。同様に、電子チューナ１５の出力端子１５ｆ、１５ｍと、電源端子１５ｈ、１５ｐも回路基板１６に半田付けにより装着されている。
【００２４】
以上のように構成された高周波信号受信装置について、以下にその動作を説明する。分配器１１に入力された高周波信号は、この分配器１１で地上波信号と、ＢＳ／ＣＳ波信号に分配される。そして、地上波信号は分配器１２に入力される。この分配器１２の出力は、電子チューナ１４、１５の地上波信号選局部１４ｄと１５ｄで夫々選局され、復調部１４ｅ、１５ｅで夫々復調される。そして、地上波復調信号は、出力端子１４ｆ、１５ｆから出力される。
【００２５】
また、分配器１１で分配されたＢＳ／ＣＳ波信号は、分配器１３に入力される。この分配器１３の出力は、電子チューナ１４、１５のＢＳ／ＣＳ波信号選局部１４ｋと１５ｋで夫々選局され、復調部１４ｅ、１５ｅで夫々復調される。そして、ＢＳ／ＣＳ波復調信号は、出力端子１４ｍ、１５ｍから出力される。
【００２６】
分配器１２に収納された高周波増幅器１２ｂの電源は、電源端子１４ｈからコイル１４ｇと入力コネクタ１４ａと出力コネクタ１２ｄとコイル１２ｆを介して高周波増幅器１２ｂに供給される。また、高周波スイッチ１２ｇのオン・オフ制御は、電源端子１５ｈからコイル１５ｇと入力コネクタ１５ａと出力コネクタ１２ｅとコイル１２ｈを介してオン・オフ制御される。地上波信号が強い場所（強電界）での受信では、高周波スイッチ１２ｇをオンに制御して、高周波増幅器１２ｂの働きをオフ（増幅度をゼロ）にする。逆に、地上波信号が弱い場所（弱電界）での受信では、高周波スイッチ１２ｇをオフに制御して、高周波増幅器１２ｂの働きをオンにする。
【００２７】
同様に、分配器１３に収納された高周波増幅器１３ｂの電源は、電源端子１４ｐからコイル１４ｎと入力コネクタ１４ｂと出力コネクタ１３ｄとコイル１３ｆを介して供給される。
【００２８】
なお、分配器１３の入力コネクタ１３ａには、分配器１１を介してダウンコンバータ（図示せず）に接続されている。このダウンコンバータの電源は、電源端子１５ｐからコイル１５ｎと入力コネクタ１５ｂと出力コネクタ１３ｅとコイル１３ｈを介して入力コネクタ１３ａから供給される。
【００２９】
以上のように、分配器１２に収納された高周波増幅器１２ｂへの電源供給と、この高周波増幅器１２ｂの増幅度のオン・オフ制御は、コネクタ１４ａ、１２ｄと、コネクタ１５ａ、１２ｅを介して行われる。従って、従来のようにジャンパー線７を用いる必要はない。即ち、回路基板１６内で発生したノイズが電子チューナ１４、１５へ侵入することはない。
【００３０】
なお、従来のように回路基板１６で発生したノイズの影響を低減させるために、シールド線を使うことも考えられる。しかし、シールド線を用いることは、工数が増大するとともに製造コストも増大することになり適切ではない。
【００３１】
同様に、分配器１３に収納された高周波増幅器１３ｂとダウンコンバータへの電源供給は、コネクタ１４ｂ、１３ｄと、コネクタ１５ｂ、１３ｅを介して行われる。従って、従来のようにジャンパー線７を用いる必要はなく、回路基板１６内で発生したノイズが電子チューナ１４、１５へ侵入することはない。
【００３２】
図２は、電子チューナ１４の平面図である。なお、電子チューナ１５に関しても電子チューナ１４と同様であるので、電子チューナ１４で代表して説明する。
【００３３】
電子チューナ１４は、金属製のケース２０で囲まれている。この金属製のケース２０内は、金属製の仕切り板２０ａ、２０ｂ、２０ｃで３個の区画室２５、２６、２７に仕切られている。区画室２５には、入力コネクタ１４ａと、コンデンサ１４ｃと、コイル１４ｇと、地上波信号選局部１４ｄが収納されている。また、区画室２６には、入力コネクタ１４ｂと、コンデンサ１４ｊと、コイル１４ｎと、ＢＳ／ＣＳ波信号選局部１４ｋが収納されている。区画室２７には、復調部１４ｅが収納されている。このように各区画室２５、２６、２７で各部を高周波的にシールドして夫々の間のアイソレーションを向上させている。
【００３４】
また、区画室２５と２６との間は、仕切り板２０ａと２０ｃで形成された空隙２０ｄを形成しており、この空隙２０ｄを設けることで、地上波信号選局部１４ｄとＢＳ／ＣＳ波信号選局部１４ｋ間の更なるアイソレーションの向上を図っている。また、区画室２５と２６に装着されたコイル１４ｇとコイル１４ｎは直角に配置することが重要であり、この配慮により、入力コネクタ１４ａ側と入力コネクタ１４ｂ側のアイソレーションを向上させている。
【００３５】
地上波信号選局部１４ｄは、コンデンサ１４ｃに接続された高周波増幅器２１ａと、この高周波増幅器２１ａの出力に接続されるとともに、地上波信号を通過させるバンドパスフィルタ２１ｂと、このバンドパスフィルタ２１ｂの出力に一方の端子が接続されるとともに他方の端子は局部発振器２１ｃの出力に接続された混合器２１ｄと、この混合器２１ｄの出力に接続された中間周波フィルタ２１ｅとで構成されている。そして、この中間周波フィルタ２１ｅの出力は復調部１４ｅの一方の入力に接続されている。
【００３６】
また、ＢＳ／ＣＳ波信号選局部１４ｋは、コンデンサ１４ｊに接続されるとともに、ＢＳ／ＣＳ波信号を通過させるハイパスフィルタ２２ａと、このハイパスフィルタ２２ａの出力に接続された高周波増幅器２２ｂと、この高周波増幅器２２ｂの出力に一方の端子が接続されるとともに他方の端子はダイレクトコンバージョン用の局部発振器２２ｃの出力に接続されたダイレクトコンバージョン用の混合器２２ｄと、この混合器２２ｄの出力に接続されたローパスフィルタ２２ｅとで構成されている。そして、このローパスフィルタ２２ｅの出力は復調部１４ｅの他方の入力に接続されている。
【００３７】
図３は、電子チューナ１４に装着された入力コネクタ１４ａ近傍の断面図である。なお、入力コネクタ１４ｂ及び、電子チューナ１５に装着された入力コネクタ１５ａ、１５ｂ近傍に関しても同様であるので、この入力コネクタ１４ａの近傍説明で代表する。
【００３８】
ケース２０には、入力コネクタ１４ａが装着されている。また、このケース２０内には４層の回路基板１６が収納されている。回路基板１６の第１の層１６ａにはコイル１４ｇが装着されるとともに、この第１の層１６ａは、高周波信号の配線が行われる。第２の層１６ｂは全面グランドパターン２３ｂとなっており、グランドの強化と、回路基板１６の表裏間のアイソレーションを向上させている。第３の層１６ｃは、電源ライン２３ｃと、この電源ライン２３ｃとペアになったグランドライン２３ａが電源ライン２３ｃに近接して敷設されている。
【００３９】
また、第４の層１６ｄは高周波信号のパターン２３ｅが配線されている。入力コネクタ１４ａの信号端子は、回路基板１６に形成されたスルーホール２３ｄを貫通して半田２３ｆで固着されている。
【００４０】
このように、回路基板１６の内層にグランドパターン２３ｂと電源ライン２３ｃ及びそのペアになったグランドライン２３ａを配置することにより、高周波的なアイソレーションを向上させることができる。
【００４１】
（実施の形態２）
図４は、本発明の実施の形態２における高周波信号受信装置の斜視図である。実施の形態１の高周波信号受信装置では、分配器１１、１２、１３を別々の筐体で構成しているのに対して、実施の形態２では、分配器１１、１２、１３を分配器３１として一つの筐体で構成している点で異なる。
【００４２】
なお、図４で使用した部品について、図１と同じものについては同一の番号を付して説明を簡略化している。
【００４３】
図４において、回路基板１６には電子チューナ１４、１５が装着されている。分配器３１には、高周波信号が入力される入力コネクタ３１ｅが設けられている。また、分配器３１には、出力コネクタ３１ａ、３１ｂ、３１ｃ、３１ｄが設けられている。これら出力コネクタ３１ａ、３１ｂ、３１ｃ、３１ｄは、電子チューナ１４の入力コネクタ１４ａ、１４ｂおよび電子チューナ１５の入力コネクタ１５ａ、１５ｂの夫々に対応させて設けられている。
【００４４】
すなわち、入力コネクタ３１ｅは分配器１１の入力コネクタ１１ａに相当し、出力コネクタ３１ａ、３１ｂは、分配器１２の出力コネクタ１２ｄ、１２ｅに夫々相当し、出力コネクタ３１ｃ、３１ｄは、分配器１３の出力コネクタ１３ｄ、１３ｅに夫々相当している。
【００４５】
このように、一つの筐体により分配器３１を構成しているので、小型化された分配器とでき、また、組立てが容易となる。
【００４６】
また、分配器３１の内部には、地上波信号の出力コネクタ３１ａ、３１ｃとＢＳ／ＣＳ信号の出力コネクタ３１ｂ、３１ｄとの間に配置された分配器用回路基板３２を内蔵している。この分配器用回路基板３２の出力コネクタ３１ａ、３１ｃに近接した上面３２ａには、分配器１２を構成する高周波増幅器１２ｂと分配器１２ｃおよび周辺部品が配置されている。さらに、分配器用回路基板３２の出力コネクタ３１ｂ、３１ｄに近接した下面３２ｂには、分配器１３を構成する高周波増幅器１３ｂと分配器１３ｃおよび周辺部品が配置されている。
【００４７】
このように、分配器用回路基板３２の上面３２ａに地上波信号が入力され、下面３２ｂにＢＳ／ＣＳ信号が入力され、夫々増幅と分配が行われることになる。このように分配器用回路基板３２の上面と下面において、地上波信号とＢＳ／ＣＳ信号の信号処理を行っている。このため、互いの回路間でのアイソレーションが確保できる。
【００４８】
また、分配器用回路基板３２の上面３２ａと下面３２ｂとの間にグランド面を設けることにより、地上波信号とＢＳ／ＣＳ信号とはさらに互いに影響を与えることがない。
【産業上の利用可能性】
【００４９】
本発明の高周波信号受信装置は、回路基板内から放射される妨害信号を抑圧することができるので、増幅器が内蔵された分配器を有する高周波信号受信装置として有用である。
【図面の簡単な説明】
【００５０】
【図１】本発明の実施の形態１における高周波信号受信装置のブロック図
【図２】同、高周波信号受信装置を構成する電子チューナの平面図
【図３】同、電子チューナの要部断面図
【図４】本発明の実施の形態２における高周波信号受信装置の斜視図
【図５】従来の高周波信号受信装置のブロック図
【図６】同、側面図
【図７】同、平面図
【符号の説明】
【００５１】
１２  分配器
１２ｂ  高周波増幅器
１３  分配器
１３ｂ  高周波増幅器
１４  電子チューナ
１４ａ  入力コネクタ
１４ｂ  入力コネクタ
１４ｇ  コイル
１４ｆ  出力端子
１４ｎ  コイル
１４ｍ  出力端子
１５  電子チューナ
１５ａ  入力コネクタ
１５ｂ  入力コネクタ
１５ｇ  コイル
１５ｆ  出力端子
１５ｎ  コイル
１５ｍ  出力端子
１６  回路基板
【図１】
2008066822.tif 000003
【図２】
2008066822.tif 000004
【図３】
2008066822.tif 000005
【図４】
2008066822.tif 000006
【図５】
2008066822.tif 000007
【図６】
2008066822.tif 000008
【図７】
2008066822.tif 000009